(57)【要約】【課題】（Ａ）部屋の収納用家具の内部の湿気や悪臭を防止することができる建物構造、（Ｂ）冷房装置の排熱を有効利用し、排熱による環境悪化を防止する建物構造、（Ｃ）電化製品により部屋が狭くなるのを防ぐとともに、排熱による部屋の温度の上昇を防止する建物構造、（Ｄ）部屋のすみずみまで新鮮な空気を取り入れ、快適な住環境を維持することができる建物構造を提供する。【解決手段】換気装置１５は、通気ダクトに連通して給排気を行う。収納用家具１６は、部屋に設置され、内部が通気ダクトに連通している。冷房装置は、放熱して冷風を供給する。熱交換器は、冷房装置の放熱により水を温める。給湯管は、熱交換器の温水を給湯口に供給する。集中制御装置は、各電化製品に接続されて各電化製品を機能させる各電化製品の構成部材を一体化している。部屋は、天井側隅部および床側隅部の少なくとも一方に通気層に連通する排気孔を有する。【選択図】図１
2005036609.tif 000002
【特許請求の範囲】
【請求項１】
床と壁と天井とで包囲される部屋を備えた建物構造において、
壁厚内に設けられ、外気に連通した通気ダクトと、
前記通気ダクトに連通して給排気を行う換気装置とを有し、
前記部屋に収納用家具が設置され、前記収納用家具は内部が前記通気ダクトに連通していることを、
特徴とする建物構造。
【請求項２】
床と壁と天井とで包囲される部屋を備え、床の下方に床下空間、天井の上方に天井裏空間、屋根の内側に小屋裏空間をそれぞれ有する建物構造において、
壁厚内、床下空間、天井裏空間および小屋裏空間に配置され、外気に連通した通気ダクトと、
前記小屋裏空間に設けられ、前記通気ダクトに連通して給排気を行う換気装置と、
少なくとも一部が前記壁厚内に埋め込まれ、内部が前記通気ダクトに連通した収納用家具とを、
有することを特徴とする建物構造。
【請求項３】
建物内部に環境検出センサを有し、
前記換気装置は前記環境検出センサの検出結果に応じて給排気を行う構成を有することを、
特徴とする請求項１または２記載の建物構造。
【請求項４】
前記環境検出センサは、温度センサ、湿度センサおよびにおいセンサの１種または２種以上の組み合わせから成り、前記収納用家具の内部に設けられていることを特徴とする請求項３記載の建物構造。
【請求項５】
床と壁と天井とで包囲される部屋を備えた建物構造において、
放熱して冷風を供給する冷房装置と、前記冷房装置の放熱により水を温める熱交換器と、給湯口とを備え、
前記冷房装置から前記部屋に冷風を供給する空調ダクトと、前記熱交換器の温水を前記給湯口に供給する給湯管とを有することを、
特徴とする建物構造。
【請求項６】
浴槽を有し、前記給湯口は前記浴槽内に接続されていることを、
特徴とする請求項５記載の建物構造。
【請求項７】
床と壁と天井とで包囲される部屋を備え、床の下方に床下空間、屋根の内側に小屋裏空間をそれぞれ有する建物構造において、
前記部屋に複数の電化製品を有し、
前記床下空間または前記小屋裏空間に、各電化製品に接続されて各電化製品を機能させる各電化製品の構成部材を一体化した集中制御装置を有することを、
特徴とする建物構造。
【請求項８】
前記集中制御装置に各電化製品を制御するための制御信号を送るための管理装置を有することを、
特徴とする請求項７記載の建物構造。
【請求項９】
前記管理装置は携帯電話により遠隔操作が可能な構成を有することを、
特徴とする請求項８記載の建物構造。
【請求項１０】
壁厚内に前記集中制御装置の排熱を排出するための通気ダクトを有することを、
特徴とする請求項７，８または９記載の建物構造。
【請求項１１】
前記電化製品はテレビ、冷蔵庫、掃除機、エアーコンディショナ、ビデオデッキおよびパーソナルコンピュータの１種または２種以上から成り、前記集中制御装置はテレビのチューナー部、冷蔵庫のモータ部、掃除機のモータ部、エアーコンディショナの空調部、ビデオデッキの制御部およびパーソナルコンピュータのＣＰＵ本体の１種または２種以上から成ることを、
特徴とする請求項７，８，９または１０記載の建物構造。
【請求項１２】
床と壁と天井とで包囲される部屋を備え、床の下方に床下空間、屋根の内側に小屋裏空間をそれぞれ有する建物構造において、
前記床下空間または前記小屋裏空間に冷房装置を有し、
前記部屋または前記床下空間に前記部屋の内部から開閉可能な保管庫を有し、
壁厚内、床下空間、天井裏空間または小屋裏空間に前記冷房装置からの冷風を前記保管庫の内部に送るための通気ダクトを有することを、
特徴とする建物構造。
【請求項１３】
床と壁と天井とで包囲される部屋を備え、壁厚内に通気層を有する建物構造において、
前記通気層および前記部屋の内部に連通して前記通気層の空気を排気するとともに外気を前記部屋の内部に供給する換気装置を有し、
前記部屋は天井側隅部および床側隅部の少なくとも一方に前記通気層に連通する排気孔を有することを、
特徴とする建物構造。
【請求項１４】
前記天井側隅部の排気孔を覆う回り縁と、前記床側隅部の排気孔を覆う幅木とを有することを、
特徴とする請求項１３記載の建物構造。
【発明の詳細な説明】
【技術分野】
【０００１】
本発明は、住宅などの建物構造に関する。
【背景技術】
【０００２】
従来の戸建て住宅では、以下の（１）〜（４）の状況が一般的である。
（１）各部屋にたんすやクローゼット、下駄箱などの家具が設置されている。各家具の中には、湿気防止や悪臭防止のために湿気防止剤や脱臭剤が入れられている。
（２）冷房装置の排熱は、屋外に放出されている。
（３）冷蔵庫、テレビ、掃除機などの電化製品はそれぞれ独立した装置から成って、住宅内で利用される。
（４）部屋の上層部に汚れた空気が滞留しやすく、排出しにくくなっている。
【発明の開示】
【発明が解決しようとする課題】
【０００３】
しかしながら、従来の戸建て住宅は、以上の（１）〜（４）の状況により以下の（ａ）〜（ｄ）の課題があった。
（ａ）各部屋に設置されるたんすやクローゼット、下駄箱などの家具の内部に湿気がたまりやすく、カビが生えたりにおいがこもったりする。
（ｂ）夏季には、冷房装置から放出される熱風により外気の温度がますます上昇するうえ、熱風の吹出し口に面した隣の住宅では、熱風が吹き込むために窓をあけることができない。
（ｃ）冷蔵庫、テレビ、掃除機などの電化製品が部屋に置かれることにより、部屋が狭くなる。また、各電化製品の排熱により部屋の温度が上昇する。
（ｄ）部屋の空気が汚れ、快適な住環境が望めない。
【０００４】
本発明は、このような従来の課題に着目してなされたもので、（Ａ）部屋の収納用家具の内部の湿気や悪臭を防止することができる建物構造、（Ｂ）冷房装置の排熱を有効利用し、排熱による環境悪化を防止する建物構造、（Ｃ）電化製品により部屋が狭くなるのを防ぐとともに、排熱による部屋の温度の上昇を防止する建物構造、（Ｄ）部屋のすみずみまで新鮮な空気を取り入れ、快適な住環境を維持することができる建物構造を提供することを目的としている。
【課題を解決するための手段】
【０００５】
上記目的を達成するために、第１の本発明に係る建物構造は、床と壁と天井とで包囲される部屋を備えた建物構造において、壁厚内に設けられ、外気に連通した通気ダクトと、前記通気ダクトに連通して給排気を行う換気装置とを有し、前記部屋に収納用家具が設置され、前記収納用家具は内部が前記通気ダクトに連通していることを、特徴とする。
【０００６】
本発明に係る建物構造は、部屋の収納用家具の内部が通気ダクトを介して換気装置により換気されるので、部屋の収納用家具の内部の湿気や悪臭を防止することができる。なお、部屋および収納用家具の数はいくつでもよく、収納用家具の種類はたんすやクローゼット、下駄箱、本棚などいかなる収納用家具であってもよい。また、本明細書において、「部屋」の概念には、玄関、廊下その他の、床と壁と天井とで包囲される空間を含む。また、「壁」の概念には、ドアを含む。
【０００７】
第１の本発明に係る建物構造は、床と壁と天井とで包囲される部屋を備え、床の下方に床下空間、天井の上方に天井裏空間、屋根の内側に小屋裏空間をそれぞれ有する建物構造において、壁厚内、床下空間、天井裏空間および小屋裏空間に配置され、外気に連通した通気ダクトと、前記小屋裏空間に設けられ、前記通気ダクトに連通して給排気を行う換気装置と、少なくとも一部が前記壁厚内に埋め込まれ、内部が前記通気ダクトに連通した収納用家具とを、有することを特徴とするものであってもよい。
【０００８】
この建物構造では、換気装置が小屋裏空間に設けられており、また、収納用家具の少なくとも一部が壁厚内に埋め込まれているため、場所をとらず、居住空間の有効利用を図ることができる。
【０００９】
第１の本発明に係る建物構造は、建物内部に環境検出センサを有し、前記換気装置は前記環境検出センサの検出結果に応じて給排気を行う構成を有することが好ましい。
この建物構造では、環境検出センサの検出結果と給排気の条件とを予め設定しておくことにより、収納用家具の内部の換気に適した条件で給排気を行うことができる。
【００１０】
第１の本発明に係る建物構造では、前記環境検出センサは、温度センサ、湿度センサおよびにおいセンサの１種または２種以上の組み合わせから成り、前記収納用家具の内部に設けられていることが好ましい。
この構成では、収納用家具の内部の状況を温度センサ、湿度センサおよびにおいセンサの１種または２種以上の組み合わせにより検出して、その検出結果に基づき、収納用家具の内部の換気を行うことができる。
【００１１】
第２の本発明に係る建物構造は、床と壁と天井とで包囲される部屋を備えた建物構造において、放熱して冷風を供給する冷房装置と、前記冷房装置の放熱により水を温める熱交換器と、給湯口とを備え、前記冷房装置から前記部屋に冷風を供給する空調ダクトと、前記熱交換器の温水を前記給湯口に供給する給湯管とを有することを、特徴とする。
【００１２】
第２の本発明に係る建物構造は、熱交換器で冷房装置の放熱により温めた水を給湯管を介して給湯口に供給することにより、冷房装置の排熱を有効利用し、排熱による環境悪化を防止することができる。冷房装置の冷風は、空調ダクトを通して部屋に供給される。
【００１３】
第２の本発明に係る建物構造は、浴槽を有し、前記給湯口は前記浴槽内に接続されていることが好ましい。この構成では、冷房装置の排熱を利用した温水を浴槽内で浴用に利用することができる。
【００１４】
第３の本発明に係る建物構造は、床と壁と天井とで包囲される部屋を備え、床の下方に床下空間、屋根の内側に小屋裏空間をそれぞれ有する建物構造において、前記部屋に複数の電化製品を有し、前記床下空間または前記小屋裏空間に、各電化製品に接続されて各電化製品を機能させる各電化製品の構成部材を一体化した集中制御装置を有することを、特徴とする。
【００１５】
第３の本発明に係る建物構造は、各電化製品の構成部材が集中制御装置として一体化されて床下空間または小屋裏空間に設置されるため、電化製品により部屋が狭くなるのを防ぐとともに、排熱による部屋の温度の上昇を防止することができる。また、電化製品の故障の場合、集中制御装置に修理個所を集中させることができるので、修理場所を確保しやすい。
【００１６】
第３の本発明に係る建物構造では、前記集中制御装置に各電化製品を制御するための制御信号を送るための管理装置を有することが好ましい。この構成では、管理装置により各電化製品を制御することができるので、電化製品の管理が容易である。
特に、前記管理装置は携帯電話により遠隔操作が可能な構成を有することが好ましい。この構成では、携帯電話により管理装置を遠隔操作することにより、屋外や遠方から各電化製品のスイッチの切換えその他の制御を行うことができる。
【００１７】
第３の本発明に係る建物構造では、壁厚内に前記集中制御装置の排熱を排出するための通気ダクトを有することが好ましい。この構成では、通気ダクトを介して集中制御装置の排熱を排出し、集中制御装置の過熱を防止するとともに排熱を通気ダクトを通して熱交換器などに送り、有効利用することができる。
【００１８】
第３の本発明に係る建物構造では、例えば、前記電化製品はテレビ、冷蔵庫、掃除機、エアーコンディショナ、ビデオデッキおよびパーソナルコンピュータの１種または２種以上から成り、前記集中制御装置はテレビのチューナー部、冷蔵庫のモータ部、掃除機のモータ部、エアーコンディショナの空調部、ビデオデッキの制御部およびパーソナルコンピュータのＣＰＵ本体の１種または２種以上から成る。
【００１９】
第４の本発明に係る建物構造では、床と壁と天井とで包囲される部屋を備え、床の下方に床下空間、屋根の内側に小屋裏空間をそれぞれ有する建物構造において、前記床下空間または前記小屋裏空間に冷房装置を有し、前記部屋または前記床下空間に前記部屋の内部から開閉可能な保管庫を有し、壁厚内、床下空間、天井裏空間または小屋裏空間に前記冷房装置からの冷風を前記保管庫の内部に送るための通気ダクトを有することを、特徴とする。
【００２０】
第４の本発明に係る建物構造では、冷房装置からの冷風を通気ダクトを介して保管庫の内部に送り、保管庫の内部を冷やすことができる。保管庫には、冷蔵庫のような冷却構造を設ける必要がないため、冷蔵庫のような電化製品により部屋が狭くなるのを防ぐことができる。冷房装置は、床下空間または小屋裏空間に設置されるため、場所をとらず、居住空間の有効利用を図ることができる。また、冷蔵庫を部屋に置いた場合に比べて、冷蔵庫の排熱により部屋の温度が上昇するのを防止することができる。
【００２１】
第５の本発明に係る建物構造では、床と壁と天井とで包囲される部屋を備え、壁厚内に通気層を有する建物構造において、前記通気層および前記部屋の内部に連通して前記通気層の空気を排気するとともに外気を前記部屋の内部に供給する換気装置を有し、前記部屋は天井側隅部および床側隅部の少なくとも一方に前記通気層に連通する排気孔を有することを、特徴とする。
【００２２】
第５の本発明に係る建物構造では、天井側隅部および床側隅部の少なくとも一方に設けられた排気孔から通気層に部屋の空気を排出することができるので、部屋の上層部に汚れた空気が滞留するのを防ぎ、部屋のすみずみまで新鮮な空気を取り入れ、快適な住環境を維持することができる。
【００２３】
第５の本発明に係る建物構造では、前記天井側隅部の排気孔を覆う回り縁と、前記床側隅部の排気孔を覆う幅木とを有することが好ましい。この構成では、回り縁と幅木とで排気孔を目立たないようにすることができる。
【発明の効果】
【００２４】
本発明によれば、（Ａ）部屋の収納用家具の内部の湿気や悪臭を防止することができる建物構造、（Ｂ）冷房装置の排熱を有効利用し、排熱による環境悪化を防止する建物構造、（Ｃ）電化製品により部屋が狭くなるのを防ぐとともに、排熱による部屋の温度の上昇を防止する建物構造、（Ｄ）部屋のすみずみまで新鮮な空気を取り入れ、快適な住環境を維持することができる建物構造を提供することができる。
【発明を実施するための最良の形態】
【００２５】
以下、図面に基づき本発明の実施の形態について説明する。
図１は、本発明の第１の実施の形態の建物構造を示している。
図１に示すように、住宅用の２階建ての建物構造１０が、床１と壁２と天井３とで包囲される複数の部屋を備え、床１の下方に床下空間４、天井３の上方に天井裏空間５、屋根の内側に小屋裏空間６をそれぞれ有している。
建物構造１０は、給気ダクト１１と供給ダクト１２と吸気ダクト１３と排気ダクト１４と換気装置１５と収納用家具１６と環境検出センサ１７とを有している。
【００２６】
給気ダクト１１は、小屋裏空間６に設けられ、換気装置１５に外気を供給するよう換気口１１ａを有している。供給ダクト１２は、全体の大部分が壁厚内に設けられ、収納用家具１６に空気を供給するよう換気装置１５から収納用家具１６へと伸びて配置されている。吸気ダクト１３は、壁厚内、床下空間４および天井裏空間５に設けられ、収納用家具１６の内部の空気を排出するよう収納用家具１６から換気装置１５へと伸びて配置されている。排気ダクト１４は、小屋裏空間６に設けられ、換気装置１５からの空気を排気するよう軒下の位置に排気口１４ａを有している。給気ダクト１１、供給ダクト１２、吸気ダクト１３および排気ダクト１４は、断熱構造を有している。
【００２７】
換気装置１５は、動力で稼動する。換気装置１５は、小屋裏空間６に設けられ、給気ダクト１１、供給ダクト１２、吸気ダクト１３および排気ダクト１４に接続され、給気ダクト１１からの外気を供給ダクト１２に送り、吸気ダクト１３からの排気を排気ダクト１４に送る構成を有している。
【００２８】
収納用家具１６は、各部屋に設置され、たんす、クローゼット、キッチン収納、玄関収納などから成る。各収納用家具１６は、背面部が壁厚内に埋め込まれ、内部に供給ダクト１２および吸気ダクト１３の端部が連通して配置されている。
【００２９】
環境検出センサ１７は、温度センサ、湿度センサおよびにおいセンサを有し、各収納用家具１６の内部に設けられている。換気装置１５は、環境検出センサ１７の検出結果に応じて給排気を行う構成を有している。
【００３０】
次に、作用について説明する。
建物構造１０は、部屋の収納用家具１６の内部が供給ダクト１２および吸気ダクト１３を介して換気装置１５により換気されるので、部屋の収納用家具１６の内部の湿気や悪臭を防止することができる。建物構造１０では、換気装置１５が小屋裏空間６に設けられており、収納用家具１６の背面部が壁厚内に埋め込まれているため、場所をとらず、居住空間の有効利用を図ることができる。
【００３１】
建物構造１０では、収納用家具１６の内部の状況を温度センサ、湿度センサおよびにおいセンサにより検出して、その検出結果に基づき、収納用家具１６の内部の換気を行うことができる。また、環境検出センサ１７の検出結果と給排気の条件とを予め設定しておくことにより、収納用家具１６の内部の換気に適した条件で給排気を行うことができる。
【００３２】
図２は、本発明の第２の実施の形態の建物構造を示している。
図２に示すように、住宅用の２階建ての建物構造２０が、床１と壁２と天井３とで包囲される複数の部屋を備え、床１の下方に床下空間４、天井３の上方に天井裏空間５、屋根の内側に小屋裏空間６をそれぞれ有している。
建物構造２０は、冷房装置２１と熱交換器２２と空調ダクト２３と給湯管２４と給湯口２５と浴槽２６と保管庫２７と換気装置２８と環境検出センサ２９とを有している。
【００３３】
冷房装置２１は、小屋裏空間６に設けられ、放熱して冷風を供給するよう構成されている。
熱交換器２２は、小屋裏空間６に、冷房装置２１に隣接して設けられている。熱交換器２２は、内部に貯水して、冷房装置２１の放熱により水を温めるよう構成されている。熱交換器２２は、余分な熱を外気に排出するよう排出口２２ａを有している。
【００３４】
空調ダクト２３は、壁厚内、床下空間４および天井裏空間５に配置されている。空調ダクト２３は、各部屋、冷蔵庫の内部および保管庫２７の内部に冷風を供給するよう冷房装置２１の冷風吹出口から伸びて配置されている。
給湯管２４は、壁厚内および天井裏空間５に配置されている。給湯管２４は、温水を給湯口２５に供給するよう熱交換器２２から伸びて配置されている。
給湯口２５は、浴槽２６内に接続され、温水を供給可能に設けられている。
【００３５】
保管庫２７は、各部屋に配置され、部屋の内部から開閉可能に壁厚内や床下空間４に埋め込まれている。保管庫２７は、内部に空調ダクト２３が配置されている。
【００３６】
換気装置２８は、動力で稼動する。換気装置２８は、小屋裏空間６に設けられ、各部屋の空気を換気可能に構成されている。
環境検出センサ２９は、温度センサおよび湿度センサを有し、保管庫２７の内部に設けられている。冷房装置２１は、環境検出センサ２９の検出結果に応じて冷風を供給するよう構成されている。
【００３７】
次に、作用について説明する。
建物構造２０は、熱交換器２２で冷房装置２１の放熱により温めた水を給湯管２４を介して給湯口２５に供給することにより、冷房装置２１の排熱を有効利用し、排熱による環境悪化を防止することができる。冷房装置２１の冷風は、空調ダクト２３を通して部屋に供給される。また、建物構造２０は、冷房装置２１の排熱を利用した温水を浴槽２６内で浴用に利用することができる。なお、給湯口２５は、台所や洗面所などにも設けられていてもよい。
【００３８】
建物構造２０では、冷房装置２１からの冷風を空調ダクト２３を介して保管庫２７の内部に送り、保管庫２７の内部を冷やすことができる。保管庫２７には、冷蔵庫のような冷却構造を設ける必要がないため、冷蔵庫のような電化製品により部屋が狭くなるのを防ぐことができる。冷房装置２１は、小屋裏空間６に設置されているため、場所をとらず、居住空間の有効利用を図ることができる。また、冷蔵庫を部屋に置いた場合に比べて、冷蔵庫の排熱により部屋の温度が上昇するのを防止することができる。
【００３９】
図３は、本発明の第３の実施の形態の建物構造を示している。
図３に示すように、住宅用の２階建ての建物構造３０が、床１と壁２と天井３とで包囲される複数の部屋を備え、床１の下方に床下空間４、天井３の上方に天井裏空間５、屋根の内側に小屋裏空間６をそれぞれ有している。
建物構造３０は、複数の電化製品３１と集中制御装置３２と管理装置３３と換気装置３４とを有している。
【００４０】
複数の電化製品３１は、冷蔵庫、テレビ、掃除機などから成り、各部屋に配置されている。
集中制御装置３２は、床下空間４に設けられ、壁厚内、床下空間４および天井裏空間５を介して各電化製品３１および管理装置３３に接続されている。集中制御装置３２は、テレビのチューナー部、冷蔵庫のモータ部、掃除機のモータ部など、各電化製品３１を機能させる各電化製品３１の構成部材を一体化して構成されている。
【００４１】
管理装置３３は、部屋の壁面に取り付けられている。管理装置３３は、集中制御装置３２に各電化製品３１を制御するための制御信号を送るよう構成されている。また、管理装置３３は、携帯電話により遠隔操作が可能な構成を有している。
【００４２】
換気装置３４は、動力で稼動する。換気装置３４は、小屋裏空間６に設けられ、各部屋の空気を換気可能に構成されている。
【００４３】
次に、作用について説明する。
建物構造３０は、各電化製品３１の構成部材が集中制御装置３２として一体化されて床下空間４に設置されるため、電化製品３１により部屋が狭くなるのを防ぐとともに、排熱による部屋の温度の上昇を防止することができる。また、電化製品３１の故障の場合、集中制御装置３２に修理個所を集中させることができるので、修理場所を確保しやすい。
【００４４】
建物構造３０では、管理装置３３により各電化製品３１を制御することができるので、電化製品３１の管理が容易である。また、携帯電話により管理装置３３を遠隔操作することにより、屋外や遠方から各電化製品３１のスイッチの切換えその他の制御を行うことができる。
【００４５】
図４および図５は、本発明の第４の実施の形態の建物構造を示している。
図４および図５に示すように、住宅用の２階建ての建物構造４０が、床１と壁２と天井３とで包囲される複数の部屋を備え、床１の下方に床下空間４、天井３の上方に天井裏空間５、屋根の内側に小屋裏空間６、壁厚内に通気層７をそれぞれ有している。
建物構造４０は、給気ダクト４１と供給ダクト４２と吸気ダクト４３と排気ダクト４４と換気装置４５と排気孔４６と環境検出センサ４７とを有している。
【００４６】
図４および図５に示すように、給気ダクト４１は、小屋裏空間６に設けられ、換気装置４５に外気を供給するよう換気口４１ａを有している。供給ダクト４２は、全体の大部分が壁厚内に設けられ、各部屋に空気を供給するよう天井３に供給口４２ａを有している。吸気ダクト４３は、全体の大部分が壁厚内に設けられ、床下空間４および天井裏空間５の空気を排出するよう吸気口４３ａを有している。排気ダクト４４は、小屋裏空間６に設けられ、換気装置４５からの空気を排気するよう排気口４４ａを有している。給気ダクト４１、供給ダクト４２、吸気ダクト４３および排気ダクト４４は、断熱構造を有している。
【００４７】
換気装置４５は、動力で稼動する。換気装置４５は、小屋裏空間６に設けられ、給気ダクト４１、供給ダクト４２、吸気ダクト４３および排気ダクト４４に接続され、給気ダクト４１からの外気を供給ダクト４２に送り、吸気ダクト４３からの排気を排気ダクト４４に送る構成を有している。換気装置４５は、通気層７および部屋の内部に連通して通気層７の空気を排気するとともに外気を部屋の内部に供給するよう構成されている。
【００４８】
図４に示すように、排気孔４６は、各部屋の天井側隅部３ａおよび床側隅部１ａに、通気層７に連通して設けられている。排気孔４６の形状は、円形、四角形、スリット状その他いかなる形状であってもよい。壁２には、天井側隅部３ａの排気孔４６を覆う回り縁と、床側隅部１ａの排気孔４６を覆う幅木とが設けられている。これにより、回り縁と幅木とで排気孔４６を目立たないようにすることができる。
【００４９】
図５に示すように、環境検出センサ４７は、温度センサおよび湿度センサを有し、床下空間４および天井裏空間５に設けられている。換気装置４５は、環境検出センサ４７の検出結果に応じて給排気を行う構成を有している。
【００５０】
次に、作用について説明する。
建物構造４０では、天井側隅部３ａおよび床側隅部１ａに設けられた排気孔４６から通気層７に部屋の空気を排出することができるので、部屋の上層部に汚れた空気が滞留するのを防ぎ、部屋のすみずみまで新鮮な空気を取り入れ、快適な住環境を維持することができる。
【図面の簡単な説明】
【００５１】
【図１】本発明の第１の実施の形態の建物構造の概念断面図である。
【図２】本発明の第２の実施の形態の建物構造の概念断面図である。
【図３】本発明の第３の実施の形態の建物構造の概念断面図である。
【図４】本発明の第４の実施の形態の建物構造の概念断面図である。
【図５】本発明の第４の実施の形態の建物構造の概念断面図である。
【符号の説明】
【００５２】
１    床
２    壁
３    天井
４    床下空間
５    天井裏空間
６    小屋裏空間
７    通気層
１０  建物構造
１１  給気ダクト
１２  供給ダクト
１３  吸気ダクト
１４  排気ダクト
１５  換気装置
１６  収納用家具
１７  環境検出センサ
【図４】
2005036609.tif 000003
【図１】
2005036609.tif 000004
【図２】
2005036609.tif 000005
【図３】
2005036609.tif 000006
【図５】
2005036609.tif 000007